(57)【要約】【課題】熱交換器を通る風量の斑の発生を抑制することができる冷凍装置の熱源ユニットを提供する、【解決手段】室外機３は、ケーシング３１と、ファン３５２とを備える。ケーシング３１の正面３１１には、空気を外部に送るための送風口３１１ａが形成されている。ファン３５２は、ケーシング３１に収容され、送風口３１１ａを通って外部に吹き出される空気の流れを生成する。そして、ファン３５２は、その回転中心軸Ｙ１がケーシング３１の正面に鉛直な第１方向Ｙ２に対し、上面視で所定角度傾斜するように配置されている。【選択図】図２
2009204291.tif 000002
【特許請求の範囲】
【請求項１】
正面に空気を外部に送るための送風口（３１１ａ）が形成されたケーシング（３１）と、
前記ケーシング（３１）に収容され、前記送風口（３１１ａ）を通って外部に吹き出される前記空気の流れを生成するファン（３５２）と、
を備え、
前記ファン（３５２）は、その回転中心軸（Ｙ１）が前記ケーシング（３１）の前記正面に鉛直な第１方向（Ｙ２）に対し上面視で所定角度傾斜するように配置されている、
冷凍装置の熱源ユニット（１）。
【請求項２】
前記ケーシング（３１）内部の前記送風口（３１１ａ）近傍に固定され、前記ファン（３５２）によって生成される前記空気の流れを案内するベルマウス（３６）を更に備え、
前記ベルマウス（３６）は、前記ファン（３５２）の回転中心軸（Ｙ１）と共に前記第１方向（Ｙ２）に対し前記所定角度傾斜して配置されている、
請求項１に記載の冷凍装置の熱源ユニット（１）。
【請求項３】
前記送風口（３１１ａ）を覆うように前記ケーシング（３１）に取り付けられた吹き出しグリル（３７）を更に備え、
前記吹き出しグリル（３７）は、前記ベルマウス（３６）と共に前記第１方向（Ｙ２）に対し前記所定角度傾斜して配置されている、
請求項２に記載の冷凍装置の熱源ユニット（１）。
【請求項４】
前記ケーシング（３１）の内部に配置され、前記送風口（３１１ａ）から外部に吹き出される前の前記空気と熱交換を行う略Ｌ字形状の熱交換器（３２）を更に備える、
請求項１〜３のいずれかに記載の冷凍装置の熱源ユニット（１）。
【請求項５】
前記熱交換器（３２）は、前記ケーシング（３１）の側面（３１２）に沿って延びる第１部分（３２ａ）と、前記ケーシング（３１）の背面（３１３）に沿って延びる第２部分（３２ｂ）とを有し、
前記ファン（３５２）は、その回転中心軸（Ｙ１）が前記熱交換器（３２）の前記第１部分（３２ａ）側に傾斜するように配置されている、
請求項４に記載の冷凍装置の熱源ユニット（１）。
【発明の詳細な説明】
【技術分野】
【０００１】
本発明は、冷凍装置の熱源ユニットに関する。
【背景技術】
【０００２】
従来より、空気調和機や給湯器などの冷凍装置は、室外機やヒートポンプユニット等の室外に設置される熱源ユニットを備えている。このような熱源ユニットには、例えば特許文献１に開示されているように、ケーシングや熱交換器、ファン等を備えているものがある。この熱源ユニットによると、先ず熱源ユニット外部の空気はケーシング内部に吸い込まれ、次いでケーシング内部に吸い込まれた空気は熱交換器を通過するため、熱交換が行われる。そして、熱交換後の空気は、ファンによりケーシングの外部に吹き出される。
【特許文献１】特開平９−１７０７８６号公報
【発明の開示】
【発明が解決しようとする課題】
【０００３】
ところで、ケーシングには、外部からの空気をケーシング内部に吸い込むための吸込口が、熱交換器の形状に基づいて熱交換器付近に形成されている。熱交換器としては、例えばＬ字形状のものが用いられる。しかしながら、熱交換器の形状の影響により、吸込口付近の空気の吸い込み能力が均一ではなくなってしまい、熱交換器を通る空気の風量に斑が生じてしまう場合がある。
【０００４】
そこで、本発明は、熱交換器を通る風量の斑の発生を抑制することができる冷凍装置の熱源ユニットを提供することを目的とする。
【課題を解決するための手段】
【０００５】
発明１に係る冷凍装置の熱源ユニットは、ケーシングと、ファンとを備える。ケーシングの正面には、空気を外部に送るための送風口が形成されている。ファンは、ケーシングに収容され、送風口を通って外部に吹き出される空気の流れを生成する。そして、ファンは、その回転中心軸がケーシングの正面に鉛直な第１方向に対し上面視で所定角度傾斜するように配置されている。
【０００６】
この熱源ユニットによると、ファンは、ファンの回転中心軸が第１方向に対し上面視で所定角度傾斜した状態でケーシング内に設けられる。これにより、外部からの空気をケーシング内部に吸い込むための吸込口がケーシングに設けられている場合、この吸込口付近の空気の吸い込み能力は均一になりやすくなるため、熱交換器を通る空気の風量に斑が生じることを抑制することができる。
【０００７】
発明２に係る冷凍装置の熱源ユニットは、発明１に係る冷凍装置の熱源ユニットであって、ベルマウスを更に備える。ベルマウスは、ケーシング内部の送風口近傍に固定され、ファンによって生成される空気の流れを案内する。そして、ベルマウスは、ファンの回転中心軸と共に第１方向に対し所定角度傾斜して配置されている。
【０００８】
この熱源ユニットによると、ベルマウスは、ファンと共に所定角度傾斜して配置されるため、ケーシングの吸込口付近の空気の吸い込み能力はより均一になり易くなる。従って、熱交換器を通る空気の風量に斑が生じることをより抑制することができる。
【０００９】
発明３に係る冷凍装置の熱源ユニットは、発明２に係る冷凍装置の熱源ユニットであって、吹き出しグリルを更に備える。吹き出しグリルは、送風口を覆うようにケーシングに取り付けられている。そして、吹き出しグリルは、ベルマウスと共に第１方向に対し所定角度傾斜して配置されている。
【００１０】
ベルマウスを傾斜させると、傾斜の度合いによっては、ベルマウスが吹き出しグリルに接触してしまい、例えば吹き出しグリルが撓んでしまう恐れがある。そこで、この熱源ユニットでは、ベルマウスが吹き出しグリルに接触しないように、吹き出しグリルは、所定角度傾斜してケーシングに取り付けられる。そのため、ベルマウスが吹き出しグリルに接触して吹き出しグリルが撓むのを防ぐことができる。
【００１１】
発明４に係る冷凍装置の熱源ユニットは、発明１〜３のいずれかに係る冷凍装置の熱源ユニットであって、略Ｌ字形状の熱交換器を更に備える。熱交換器は、ケーシングの内部に配置され、送風口から外部に吹き出される前の空気と熱交換を行う。
【００１２】
Ｌ字形状の熱交換器が備えられた熱源ユニットの構造上、熱交換器の形状に基づいて形成されたケーシングの吸込口付近の空気の吸い込み能力は、均一になり難い。しかし、本発明の熱源ユニットによると、ファンが所定角度傾斜しているため、Ｌ字形状の熱交換器が備えられていても、熱交換器を通る風量が均一になり易くなる。
【００１３】
発明５に係る冷凍装置の熱源ユニットは、発明４に係る冷凍装置の熱源ユニットであって、熱交換器は、第１部分と、第２部分とを有する。第１部分は、ケーシングの側面に沿って延びている。第２部分は、ケーシングの背面に沿って延びている。そして、ファンは、その回転中心軸が熱交換器の第１部分側に傾斜するように配置されている。
【００１４】
これにより、ケーシングの吸込口付近の空気の吸い込み能力が均一になりやすくなるため、熱交換器を通る空気の風量に斑が生じることを抑制することができる。
【発明の効果】
【００１５】
発明１に係る冷凍装置の熱源ユニットによると、外部からの空気をケーシング内部に吸い込むための吸込口がケーシングに設けられている場合、この吸込口付近の空気の吸い込み能力は均一になりやすくなるため、熱交換器を通る空気の風量に斑が生じることを抑制することができる。
【００１６】
発明２に係る冷凍装置の熱源ユニットによると、熱交換器を通る空気の風量に斑が生じることをより抑制することができる。
【００１７】
発明３に係る冷凍装置の熱源ユニットによると、ベルマウスが吹き出しグリルに接触して吹き出しグリルが撓むのを防ぐことができる。
【００１８】
発明４に係る冷凍装置の熱源ユニットによると、ファンが所定角度傾斜しているため、Ｌ字形状の熱交換器が備えられていても、熱交換器を通る風量が均一になり易くなる。
【００１９】
発明５に係る冷凍装置の熱源ユニットによると、ケーシングの吸込口付近の空気の吸い込み能力が均一になりやすくなるため、熱交換器を通る空気の風量に斑が生じることを抑制することができる。
【発明を実施するための最良の形態】
【００２０】
以下、本発明の一実施形態に係る冷凍装置の熱源ユニットについて、図面を用いて詳細に説明する。
【００２１】
（１）概要
図１は、本実施形態に係る冷凍装置の熱源ユニットが採用された室外機を有する空気調和装置の外観図である。図１の空気調和装置１は、室内の壁面等に取り付けられている室内機２と、室外に設置されている室外機３とに分かれて構成されており、室内の冷房運転や暖房運転等を行うことができる。
【００２２】
室内機２の内部には、室内熱交換器（図示せず）や送風ファン等が収納され、室外機３の内部には室外熱交換器３２（後述）や圧縮機３３（後述）等が収納されている。そして、室内機２の室内熱交換器及び室外機３の室外熱交換器３２は、冷媒配管４を介して接続されている。
【００２３】
（２）室外機の構成
次に、本実施形態に係る室外機３の構成について、図２を用いて説明する。室外機３は、主として、ケーシング３１、室外熱交換器３２、圧縮機３３、電装品ユニット３４、送風部３５、ベルマウス３６及び吹き出しグリル３７を備える。尚、以下の説明においては、「上」、「下」、「左」、「鉛直」等の方向を示す表現を適宜用いているが、これらは、室外機３が図１に示すように室外に取り付けられ、通常使用される状態での各方向を表す。
【００２４】
〔ケーシング〕
ケーシング３１は、略直方体の形状を有しており、板金及び樹脂によって形成されている。ケーシング３１の内部は、略鉛直に延びる仕切板３１ａにより機械室Ｓ１と送風室Ｓ２とに分割されている。機械室Ｓ１には、圧縮機３３や電装品ユニット３４が収容され、送風室Ｓ２には、室外熱交換機３２や送風部３５が収容されている。
【００２５】
そして、ケーシング３１には、送風口３１１ａと吸込口３１１ｂとが形成されている。送風口３１１ａは、ケーシング３１の正面３１１に形成され、略円形の形状を有している。吸込口３１１ｂは、ケーシング３１の背面３１３、及び図２（ａ）に示すように上面視においてケーシング３１の左側面３１２にかけて形成されている。即ち、吸込口３１１ｂは、後述する室外熱交換器３２の形状に基づいて形成されている。
【００２６】
〔室外熱交換器〕
室外熱交換器３２は、吸込口３１１ｂを介してケーシング３１内に吸い込まれてきた空気と熱交換を行うためのものである。室外熱交換器３２は、略Ｌ字状の形状を有しており、ケーシング３１の左側面３１２から背面３１３に沿うようにしてケーシング３１内部に配置されている。より具体的には、室外熱交換器３２は、ケーシング３１の左側面３１２に沿って延びている第１部分３２ａと、ケーシング３１の背面３１３に沿って延びている第２部分３２ｂとを有している。
【００２７】
このような室外熱交換器３２は、長手方向両端で複数回折り返されてなる伝熱管（図示せず）と、伝熱管が挿通される複数のフィンを含むフィン部分（図示せず）とを有する。伝熱管は、冷媒配管４と接続されており、伝熱管の内部には、冷媒配管４内を流れる冷媒が流れている。
【００２８】
〔圧縮機〕
圧縮機３３は、冷媒配管４内を流れる冷媒を圧縮するためのものであって、機械室Ｓ１内に配置されている。より具体的には、圧縮機３３は、機械室Ｓ１内のうち、仕切板３１ａの近傍であって、かつ電装品ユニット３４の下側に配置されている。このような圧縮機３３は、圧縮機用モータにより駆動される。
【００２９】
〔電装品ユニット〕
電装品ユニット３４は、コンデンサやトランジスタ等の複数の電装品が実装された制御基板やリアクタ等を収納するためのものであって、機械室Ｓ１において圧縮機３３の上側に配置されている。そして、電装品ユニット３４内の制御基板からは、複数本のハーネスが延びている。これらのハーネスは、圧縮機３３や送風部３５におけるファンモータ３５１に駆動制御用信号等を伝送するためのものであって、電装品ユニット３４から圧縮機３３及びファンモータ３５１等にまで延びている。
【００３０】
〔送風部〕
送風部３５は、送風室Ｓ２内の空気を室外機３外部に送るためのものであって、ケーシング３１の送風室Ｓ２内に設けられている。送風部３５は、ファンモータ３５１及びファン３５２を有する。
【００３１】
ファンモータ３５１は、ファン３５２の回転駆動源であって、ケーシング３１の背面に取り付けられたファンモータ台３５１ａに固定されている。そして、ファンモータ３５１の出力軸は、ファン３５２の回転中心軸Ｙ１に接続されている。従って、電装品ユニット３４の制御基板から出力される駆動制御用信号によりファンモータ３５１が回転すると、その回転はファンモータ３５１の出力軸を介してファン３５２の回転中心軸Ｙ１に伝達されるため、ファン３５２は回転することができる。
【００３２】
ファン３５２は、複数枚の翼を有するプロペラファンであって、送風室Ｓ２の空気を外部に排出可能なように、ケーシング３１の送風口３１１ａに対応する位置に設けられている。ファン３５２は、ファンモータ３５１により回転駆動することで、室外熱交換器３２で熱交換された後の空気がケーシング３１の正面３１１における送風口３１１ａを通って外部に吹き出されるように、空気の流れを生成する。
【００３３】
特に、本実施形態に係るファン３５２は、その回転中心軸Ｙ１がケーシング３１の正面３１１に鉛直な第１方向Ｙ２に対し、上面視で所定角度傾斜するように配置されている。より具体的には、ファン３５２は、回転中心軸Ｙ１が室外熱交換器３２の第１部分３２ａ側に傾斜するように、配置されている。更に言い換えると、図２（ａ）に示すように、ファン３５２は、室外熱交換器３２の折れ曲がり部分側、即ち上面視においてケーシング３１の左側面３１２側に傾いて配置されている。
【００３４】
尚、回転中心軸Ｙ１の傾斜の角度（即ち、上記所定角度）については、例えばファン３５２の大きさやケーシング３１内部に吸い込まれる空気量、室外に吹き出される空気量等に基づいて決定されたり、実験により決定されたりすることができる。例えば、所定角度としては、１度〜２度が挙げられる。
【００３５】
〔ベルマウス〕
ベルマウス３６は、ファン３５２によって生成される熱交換後の空気の流れをケーシング３１外部に案内するためのものであって、ファン３５２及びケーシング３１の送風口３１１ａに対応するようにして設けられている。より具体的には、ベルマウス３６は、ケーシング３１の送風室Ｓ２内部のうち、送風口３１１ａ近傍に固定されている。ベルマウス３６には、熱交換後の空気が通る開口３６ａが形成されおり、この開口３６ａは、ケーシング３１の送風口３１１ａとほぼ同じ大きさの略円形の形状を有している。
【００３６】
そして、本実施形態に係るベルマウス３６は、図２（ａ）に示すように、ファン３５２の回転中心軸Ｙ１と共に第１方向Ｙ２に対し所定角度傾斜して配置されている。即ち、ベルマウス３６は、ファン３５２と共にケーシング３１の左側面３１２側に傾いて配置されている。尚、ベルマウス３６の傾斜の角度（即ち、上記所定角度）については、ファン３５２の回転中心軸Ｙ１における所定角度と同様、例えばファン３５２の大きさやケーシング３１内部に吸い込まれる空気量、室外に吹き出される空気量等に基づいて決定されたり、実験により決定されたりすることができる。所定角度としては、例えば１度〜２度が挙げられる。
【００３７】
〔吹き出しグリル〕
吹き出しグリル３７は、ベルマウス３６の開口３６ａ及びケーシング３１の送風口３１１ａを覆うように、ケーシング３１外部からケーシング３１の正面３１１に取り付けられている。吹き出しグリル３７は、樹脂によりメッシュ状形成されている。特に、吹き出しグリル３７には、ベルマウス３６を介して送られてきたファン３５２からの空気の吹き出し口３７ａが形成されている。即ち、吹き出しグリル３７における吹き出し口３７ａの部分は、熱交換後の空気が通過するように、吹き出し口３７ａ以外の吹き出しグリル３７の部分に比して網目が荒く形成されている。逆に、吹き出しグリル３７における吹き出し口３７ａ以外の部分については、空気が通過しにくいように、比較的細かい網目で形成されている。このような吹き出し口３７ａは、ケーシング３１の送風口３１１ａ及びベルマウス３６の開口３６ａと同じ大きさの略円形の形状を有しており、送風口３１１ａ及び開口３６ａと対応するようにして位置している。
【００３８】
（３）ケーシングに吸い込まれる空気の流れ
次いで、室外機３に吸い込まれる空気の流れについて、図３（ａ）（ｂ）を用いて説明する。図３（ａ）は、ファン３５２’の回転中心軸Ｙ１’がケーシング３１の正面３１１に対し鉛直となるようにファン３５２’が配置された室外機３’（即ち、従来の室外機３’）の、空気の流れを示す図である。尚、図３（ａ）の室外機３’では、ベルマウス３６’は、傾斜することなくケーシング３１に固定されている。図３（ｂ）は、上述したように、ファン３５２の回転中心軸Ｙ１が第１方向Ｙ２に対し所定角度傾斜するようにファン３５２が配置された室外機３（即ち、本実施形態の室外機３）の、空気の流れを示す図である。尚、図３（ａ）（ｂ）では、吸込口３１１ｂを有するケーシング３１、第１部分３２ａ及び第２部分３２ｂを含むＬ字形状の室外熱交換器３２、吹き出しグリル３７については、同じ符号を付している。また、図３（ａ）（ｂ）における矢印Ａ１〜Ａ４，Ａ１’〜Ａ４’は、吸込口３１１ｂよりケーシング３１内部に吸い込まれる空気を示しており、矢印Ｂ，Ｂ’は、ケーシング３１外部に吹き出される空気を示している。特に、各矢印Ａ１〜Ａ４，Ａ１’〜Ａ４’，Ｂ’，Ｂの方向は、空気の流れる方向を示しており、各矢印Ａ１〜Ａ４，Ａ１’〜Ａ４’，Ｂ’，Ｂの太さは、空気の風量を示している。
【００３９】
従来の室外機３’では、図３（ａ）の矢印Ａ１’〜Ａ４’に示すように、ケーシング３１に吸い込まれる空気は、ケーシング３１外部から内部への導入箇所が室外熱交換器３２の折れ曲がり部分に近い程風量が多く、逆にケーシング３１内部への導入箇所が室外熱交換器３２の折れ曲がり部分から遠くなる程風量が小さくなっている（空気Ａ２’の風量＞空気Ａ３’の風量＞空気Ａ１’，Ａ４’の風量）。これに対し、本実施形態に係る室外機３では、図３（ｂ）の矢印Ａ１〜Ａ４に示すように、室外熱交換器３２の機械室Ｓ１側端部の矢印Ａ４を除き、ケーシング３１外部から内部への導入箇所に関係なく風量がほぼ均一となっている（空気Ａ１の風量＝空気Ａ２の風量＝空気Ａ３風量）。これは、ファン３５２の回転中心軸Ｙ１が第１方向Ｙ２に対し室外熱交換器３２の折れ曲がり部分側に傾くようにファン３５２が配置され、かつベルマウス３６が室外熱交換器３２の折れ曲がり部分側に傾斜して配置されることで、矢印Ａ１付近からケーシング３１内部に吸い込まれる空気がファン３５２に導入し易くなったことに起因する。即ち、ファン３５２が室外熱交換器３２の第１部分３２ａ側に傾くことで、室外機３内部のうち、室外熱交換器３２の第１部分３２ａ側の空気抵抗の差が軽減される。
【００４０】
尚、吸込口３１１ｂから吸い込まれた空気は、室外熱交換器３２により熱交換された後、図３（ａ）の矢印Ｂ’及び図３（ｂ）の矢印Ｂに示すように、ケーシング３１１外部に吹き出される。
【００４１】
（４）効果
（Ａ）
本実施形態に係る空気調和装置１の室外機３によると、ファン３５２は、ファン３５２の回転中心軸Ｙ１がケーシング３１の正面３１１に直交する第１方向Ｙ２に対し上面視で所定角度傾斜するように、ケーシング３１内に設けられる。これにより、ケーシング３１の吸込口３１１ｂ付近の空気の吸い込み能力は均一になりやすくなるため、室外熱交換器３２を通る空気の風量に斑が生じることを抑制することができる。
【００４２】
（Ｂ）
また、本実施形態に係る室外機３では、ベルマウス３６が、ファン３５２と共に所定角度傾斜して配置されるため、ケーシング３１の吸込口３１１ｂ付近の空気の吸い込み能力がより均一になり易くなる。従って、室外熱交換器３２を通る空気の風量に斑が生じることをより抑制することができる。
【００４３】
（Ｃ）
ところで、Ｌ字形状の室外熱交換器が備えられた室外機では、その構造上、ケーシング３１の吸込口３１１ｂ付近の空気の吸い込み能力は、均一になり難い。しかし、本発明の室外機３によると、ファン３５２が所定角度傾斜しているため、Ｌ字形状の室外熱交換器３２が備えられていても、室外熱交換器３２を通る風量が均一になり易くなる。
【００４４】
（Ｄ）
また、室外熱交換器３２は、ケーシング３１の左側面３１２に沿って延びる第１部分３２ａと、ケーシング３１の背面３１３に沿って延びている第２部分３２ｂとを有する。そして、ファン３５２は、その回転中心軸Ｙ１が室外熱交換器３２の第１部分３２ａ側に傾斜するように配置されている。これにより、ケーシング３１の吸込口３１１ｂ付近の空気の吸い込み能力が均一になりやすくなるため、室外熱交換器３２を通る空気の風量に斑が生じることを抑制することができる。
【００４５】
＜その他の実施形態＞
（ａ）
上記実施形態のように、ベルマウス３６を傾斜させた場合、傾斜の度合いによっては、ベルマウス３６が吹き出しグリル３７に接触してしまい、吹き出しグリル３７が撓んでしまう恐れがある。このような場合には、図４の室外機３に示すように、ベルマウス３６の端部が吹き出しグリル３７に接触しないようにするため、吹き出しグリル３７をベルマウス３６と共に所定角度傾斜して配置させてもよい。即ち、図４の吹き出しグリル３７は、ベルマウス３６と共に第１方向Ｙ２に対し所定角度傾斜して配置されている。このような構成にすることで、ベルマウス３６が吹き出しグリル３７に接触してしまい、吹き出しグリル３７が撓むのを防ぐことができる。
【００４６】
尚、吹き出しグリル３７の傾斜の角度（即ち、上記所定角度）については、上記実施形態に係るファン３５２の所定角度及びベルマウスの所定角度と同様、例えばファン３５２の大きさやケーシング３１内部に吸い込まれる空気量、室外に吹き出される空気量等に基づいて決定されたり、実験により決定されたりすることができる。所定角度としては、例えば１度〜２度が上げられる。
【００４７】
（ｂ）
上記実施形態では、ファン３５２と共にベルマウス３６が傾斜する場合について説明したが、これに限定されず、ファン３５２のみが傾斜していてもよい。
【００４８】
（ｃ）
上記実施形態では、本発明に係る熱源ユニットが空気調和装置１の室外機３に適用された場合について説明したが、本発明に係る熱源ユニットの用途は、これに限定されない。本発明に係る熱源ユニットは、例えば給湯器において室外に配置されるヒートポンプ型ユニットにも適用することができる。この場合も、上記実施形態と同様、ファンの回転中心軸がケーシングの正面に直交する第１方向に対し所定角度傾斜するように、ファンをケーシングに取り付ける。これにより、上記実施形態と同様の効果を奏することができる。
【００４９】
（ｄ）
上記実施形態では、吹き出しグリル３７がケーシング３１とは別に設けられる場合について説明したが、本発明に係る熱源ユニットは、例えば吹き出しグリルとケーシングとが一体となったタイプの室外機においても適用できる。
【００５０】
（ｅ）
上記実施形態では、本発明に係る熱源ユニットの一例として、空気がケーシングの正面側から吹き出されるタイプの室外機３を例にとり説明したが、本発明に係る熱源ユニットの用途は、これに限定されない。例えば、熱源ユニットは、図５に示すような上吹きタイプの室外機１０３にも適用することができる。
【００５１】
図５は、室外機１０３の縦断面図であって、室外機１０３の構成を概略的に示した図である。図５の室外機１０３は、主として、矩形状の形状を有するケーシング５３１、室外熱交換器５３２、ファン５５２、ベルマウス５３６及び吹き出しグリル５３７を備えている。特に、室外熱交換器５３２は、ケーシング５３１の４つの側面のうち、３つの側面に沿う形状を有したＵ字形状の熱交換器であって、この熱交換器５３２が取り付けられているケーシング５３１の３つの側面には、吸込口（図示せず）が形成されている。そして、ファン５５２は、その回転中心軸Ｙ１０１がケーシング５３１の上面５３１ａに垂直な第２方向Ｙ１０２に対して所定角度傾斜するように、ケーシング５３１内に設けられている。ベルマウス５３６は、傾斜しているファン５５２と共に傾斜するようにして、ケーシング５３１内に設けられている。また、ケーシング５３１の上面５３１ａには、吹き出し口（図示せず）が形成されており、吹き出しグリル５３７は、この吹き出し口を覆うように、ケーシング５３１の上面５３１ａに取り付けられている。
【００５２】
このような室外機１０３においても、上記実施形態と同様、ケーシング５３１外部から吸込口を介して吸い込まれる空気の風量は均一になりやすいため、室外熱交換器５３２を通る空気の風量に斑が生じることを抑制することができる。
【産業上の利用可能性】
【００５３】
本発明に係る熱源ユニットは、外部からの空気をケーシング内部に吸い込むための吸込口付近の吸い込み能力がほぼ均一になるため、熱交換器を通る空気の風量に斑が生じることを抑制することができるという効果を有する。従って、熱源ユニットは、空気調和装置の室外機や給湯器のヒートポンプ型ユニット等のように、冷凍装置において室外に配置される熱源ユニットとして適用することができる。
【図面の簡単な説明】
【００５４】
【図１】本実施形態に係る空気調和装置の外観図。
【図２】（ａ）本実施形態に係る室外機の構成の概略図であって、室外機の内部を上から見た場合の図。（ｂ）本実施形態に係る室外機の正面図。
【図３】（ａ）従来の室外機において、主に室外機の内部に吸い込まれる空気の流れを説明するための図。（ｂ）本実施形態に係る室外機において、主に室外機の内部に吸い込まれる空気の流れを説明するための図。
【図４】その他の実施形態（ａ）に係る室外機の構成の概略図であって、室外機の内部を上から見た場合の図。
【図５】その他の実施形態（ｅ）に係る室外機の縦断面図であって、室外機の構成を概略的に示した図。
【符号の説明】
【００５５】
１  空気調和装置
２  室内機
３  室外機
３１  ケーシング
３２  室外熱熱交換器
３２ａ  第１部分
３２ｂ  第２部分
３３  圧縮機
３４  電装品ユニット
３５  送風部
３６  ベルマウス
３６ａ  開口
３７  吹き出しグリル
３７ａ  吹き出し口
３１１  正面
３１１ａ  送風口
３１１ｂ  吸込口
３１２  左側面
３１３  背面
３５１  ファンモータ
３５２  ファン
Ｓ１  機械室
Ｓ２  送風室
Ｙ１  ファンの回転中心軸
Ｙ２  第１方向
Ａ１〜Ａ４：吸い込まれる空気
Ｂ  吹き出される空気
【図１】
2009204291.tif 000003
【図２】
2009204291.tif 000004
【図３】
2009204291.tif 000005
【図４】
2009204291.tif 000006
【図５】
2009204291.tif 000007